(57)【特許請求の範囲】
【請求項１】
交叉するコーナー板の両側端部に建築板が挿入される凹陥部が形成されており、該凹陥部の底部には挿入される建築板の側縁と衝接して雨水の浸入を阻止する堰としての機能をなす突条が少なくとも一条突設されており、
該凹陥部の底部に形成した突条と凹陥部の背面板との間には、建築板を挿入した状態で、建築板の側縁と該突条との間に形成される隙間に比して相対的に広い空所であって、該空所に浸入する雨水を下方へ流下させる空所が形成されていることを特徴とする出隅材。
【請求項２】
前記凹陥部の背面板には挿入される建築板の裏面と衝接して雨水の浸入を阻止する堰としての機能をなす突出部が形成されていることを特徴とする請求項１記載の出隅材。
【発明の詳細な説明】
【０００１】
【発明の属する技術分野】
本発明は、建物の出隅部において外壁板として留め付けられる建築板の側縁部を覆うと共に、出隅部そのものをもカバーするようにした出隅材に関する。
【０００２】
【従来の技術】
従来より、交叉するコーナー板と、その両側端部に形成された凹陥部とからなり、建物の出隅部において、外壁板として留め付けられる建築板の側縁部を前記凹陥部に挿入することにより被覆すると共に、出隅部そのものをもコーナー板部分で覆うようにした出隅材はいくつか提案されている（例えば、特開平１０−２８０６４１号公報、特開平１０−８６８３号公報など参照）。この種の出隅材を用いることにより、従来のように、建築板と同質材によって形成される出隅柱を使用することが不要となり、また、シーリング材を充填する作業なども不要なことから、出隅部の構築作業が簡素化される利点がある。
【０００３】
【発明が解決しようとする課題】
上記の出隅材を用いて構築された出隅部では、建築板の側縁部は単に出隅材の凹陥部に挿入された状態で留め付けられる状態であり、凹陥部にシーリング材を打ち込むなどの作業は行われない。そのために、凹陥部の表面板とそこに挿入された建築板との隙間から雨水が浸入し、浸入した雨水が建築板の側縁を回り込んで裏面にまで到達し、建物躯体部分に漏洩してしまう恐れがある。
【０００４】
雨水が凹陥部へ浸入するのを阻止するために、凹陥部表面板の側端部を内側に折り曲げて一種の堰としての機能をもたせること、あるいは、凹陥部の裏面板に複数のリップを立ててやはり堰としての機能をもたせることなどが行われているが、本発明者らがホース放射水による漏水試験を行ったところ、従来のこの種出隅材は十分な漏水防止性を有するものではなかった。
本発明は上記の事情に鑑みてなされたものであり、その目的は、交叉するコーナー板とその両側端部に形成された凹陥部とを備える出隅材において、該凹陥部の表面側から裏面側への雨水などの回り込みを効果的に阻止することにより、建物躯体部分への漏洩をほぼ完全に回避することのできる出隅材を提供することにある。
【０００５】
【課題を解決するための手段】
建物外壁部において、雨水の室内側への漏水が発生するには、第１に雨水が外壁表面に存在すること、第２に外壁部に雨水を通す隙間があること、第３に雨水を室内側に移動させる力が存在し、作用すること、が要因となる。この雨水を移動させる力には、毛管現象、気圧差、雨水の運動エネルギー、表面張力、気流などの影響が存在する。上記の課題を解決するに際して、本発明者は、外壁部の漏水防止について鋭意研究を重ねた結果、それらの要因のうちでも、特に、気圧差と雨水の運動エネルギーの要因に対する対策を講じることが、建物外壁部の漏水防止に極めて有効であることを見い出し、本発明をなすにいたった。
【０００６】
すなわち、上記の課題を解決するための本発明による出隅材は、交叉するコーナー板の両側端部に建築板が挿入される凹陥部が形成されており、該凹陥部の底部には挿入される建築板の側縁と衝接して雨水の浸入を阻止する堰としての機能をなす突条が少なくとも一条突設されていることを特徴とする。前記凹陥部の表面板の側端部を内側に折り曲げて、そこに堰としての機能をもたせることもできる。
【０００７】
本発明による出隅材を用いて構築した出隅部において、先ず、凹陥部の表面板の側端部を内側に折り曲げた部分（もし形成される場合）は、雨水の運動エネルギーを受け止める堰としての役目を果たす。挿入された建築板表面との間に形成される狭い隙間を通過する雨水は、その内側に形成される空所に入り込むことにより、いわば、減圧された状態となって内側への流れが途切れる。それにより、該空所部を樋として下方に流下する。
【０００８】
流下しなかった雨水は、前記凹陥部の底部に形成された突条にいたる。そこでも、該突条は雨水の運動エネルギーを受け止める堰としての役目を果たし、雨水は突条に沿って流下する。そのために、建築板の裏面である建物躯体部にまで雨水が漏洩するのはほぼ完全に阻止される。突条を複数条設ける場合には、各突条ごとに同様な漏水防止効果が奏されることとなり、漏水防止機能は一層向上する。
【０００９】
好ましい態様において、出隅材は、該凹陥部の底部に形成した突条と凹陥部の背面板との間に、建築板を挿入した状態で、広い空所がさらに形成されることを特徴とする。この構成では、雨水が、挿入された建築板の側縁と前記突条との間に形成される狭い隙間を通過してしまったとしても、その雨水は、その内側に形成される広い空所に入り込むことによって前記と同様に減圧された状態となり、内側へ向けての流れは途切れる。それにより、雨水は上記空所部を樋として下方に流下し、それ以上裏面に回り込むことはほとんどない。
【００１０】
さらに好ましい態様において、出隅材は、該凹陥部の背面板に挿入される建築板の裏面と衝接して雨水の浸入を阻止する堰としての機能を果たす突出部がさらに形成されている。前記空所の形成により雨水が凹陥部の背面板にまで到達することはほぼ阻止されるが、もし、到達したとしても、前記堰としての機能を果たす突出部によって、それ以上、内側へ入り込むのは阻止することができ、その部分から下方に流下する。それにより、雨水の漏水防止効果は一層確実となる。
【００１１】
【発明の実施の形態】
以下、図面を参照して本発明による出隅材の実施の形態を説明する。図１は、躯体の出隅部（ここでは、柱１として示している）に、本発明による出隅材１０を用いて建築板３０、３０を留め付けた状態を示す斜視図であり、図２は、その水平方向の断面図である。なお、図２に示すように、この出隅材１０は柱１に釘２０により打ち付けられるようになっている。
【００１２】
出隅材１０は、アルミの押し出しなどにより一体成形されるものであり、建物の出隅部の角度に合わせた角度で交叉するコーナー板１１と、該コーナー板１１の左右の側端部に形成される凹陥部１２、１２とからなる。図示のものでは、コーナー板１１は９０度の角度で交叉しており、折り曲がり部１３は４５度の面取り部として意匠性を高めている。
凹陥部１２は、前面板１４と、底面板１５と、背面板１６とから構成される。前面板１４の側方端は、内側に折り曲がったリップ１４ａとされており、該リップ１４ａの先端は、挿入される建築板３０の表面に衝接する。それにより、リップ１４ａは、雨水の運動エネルギーを受け止める第１の堰としての機能を果たすことができ、凹陥部１２内への雨水の浸入を阻止している。
【００１３】
底面板１５は、この例では、コーナー板１１よりも前側に位置する第１の底面板１５ａと、後側に位置する第２の底面板１５ｂとより構成され、第１の底面板１５ａには、等しい高さの２本の突条１７ａ，１７ｂが突設されている。２本の突条１７ａ，１７ｂの先端は挿入される建築板３０の側縁と衝接して、それぞれが雨水の運動エネルギーを受け止める第２及び第３の堰としての機能を果たす。前記リップ１４ａの先端と建築板３０と表面との間の狭い隙間を通過して浸入する雨水は、２本の突条１７ａ，１７ｂによりさらに奥にまで浸入するのは阻止され、突条１７ａ，１７ｂに沿って下方に流下する。
図示されるように、建築板３０の表面と側端面とは、リップ１４ａ、及び、２本の突条１７ａ，１７ｂの先端に接するのみであり、それぞれの先端に存在する狭い隙間を通って雨水が浸入したとしても、その直後に空所Ｓが形成されることから、いわば減圧効果が生じ、内側へ向けての雨水の流れは途絶える。その結果、該空所Ｓを樋として下方に流下する。
【００１４】
ところで、前記のように、この出隅材１０においては、第１の底面板１５ａよりも後退した位置に第２の底面板１５ｂが設けてあり、そこから背面板１６が側方に延出している。そのために、凹陥部１２に建築板３０を挿入したときに、該建築板３０の側端面の側方には、前記突条１７ｂと第２の底面板１５ｂと背面板１６とで区画される前記空間Ｓよりも広い空所Ｓａが確保される。それにより、該広い空所Ｓａでの上記減圧効果はさらに有効に機能することとなり、該空所Ｓａを樋としてほぼ全量が下方に流下することから、そこから内側へ向けての雨水の漏水防止効果はほぼ完全なものとなる。
【００１５】
また、凹陥部１２の背面板１６には、挿入される建築板３０の裏面と衝接していて、雨水の運動エネルギーを受け止める第４の堰としての機能をなす突出部１８がさらに形成されており、さらに、その側方端は、同様に第５の堰としての機能を果たす内側に折り曲がったリップ１６ａとされている。前記空所Ｓａの形成により雨水が凹陥部１２の背面板１６にまで到達することはほぼ阻止されるが、もし、到達したとしても、前記突出部１８によって、それ以上内側へ入り込むのは阻止され、突出部１８に沿って下方に流下する。万が一、突出部１８を乗り越えたとしても、その雨水はリップ１６ａにより捕獲される。
上記のように、本発明による出隅材１０を用いる場合には、凹陥部１２に入り込んだ雨水は凹陥部１２内で確実に捕捉され、下方に流下する。それにより、雨水が建築板３０の裏面である躯体側にまで浸入することは回避でき、出隅部の外観意匠の向上効果、施工の省力化効果に加えて、高い止水効果がもたらされる。
【００１６】
図３は、他の形態の出隅材１０ａを用いて建築板３０を留め付けた場合の水平方向断面図である。この出隅材１０ａは、コーナー板１１の面と凹陥部１２の前面板１４とが同じ面として成形されている点で、図１及び図２に示したものと構成を異にしている。凹陥部１２の構成は同じである。この構成は、成形が容易であると共に、出隅部として単調な外観意匠を望む場合に有効となる。
図４は、さらに他の形態の出隅材１０ｂを用いて建築板３０を留め付けた場合の水平方向断面図である。この出隅材１０ｂは、コーナー板１１の面と凹陥部１２の前面板１４とが同じ面とされると共に、コーナー板１１の両側縁部分と凹陥部１２との接続部には凹条１１ａを形成している。このような構成のものは、出隅部として変化に富む外観意匠を望む場合に有効となる。
【００１７】
【発明の効果】
上記のように、本発明による出隅材では、凹陥部に入り込んだ雨水は凹陥部内で確実に捕捉され下方に流下するので、雨水が建築板の裏面である躯体側にまで浸入することは回避される。それにより、出隅部の外観意匠の向上、施工の省力化効果に加えて、出隅部での高い止水効果がもたらされる。
【図面の簡単な説明】
【図１】躯体の出隅部に本発明による出隅材を用いて建築板を留め付けた状態を示す斜視図。
【図２】図１の水平方向の断面図。
【図３】他の形態の出隅材を用いて建築板を留め付けた状態を示す水平方向断面図。
【図４】さらに他の形態の出隅材を用いて建築板を留め付けた状態を示す水平方向断面図。
【符号の説明】
１０…出隅材、１１…コーナー板、１２…凹陥部、１７…突条、Ｓａ…空間、３０…建築板
【図１】
0003940520.tif 000002
【図２】
0003940520.tif 000003
【図３】
0003940520.tif 000004
【図４】
0003940520.tif 000005